(57)【要約】【課題】便器外へ洗浄水が飛び出しにくいビデ洗浄装置を提供すること。【解決手段】便器７１後部に対して前後方向に進退可能に設けられる長尺のノズル部１２と、ノズル部１２の先端側に配置される複数の吐水孔群２が設けられるヘッド部１１と、を有するビデ洗浄装置１であって、複数の吐水孔群２は、身体局部近傍の所定の範囲に対して吐水する狭モード吐水用の狭モード吐水孔群２１と、所定の範囲よりも広い範囲に吐水する広モード吐水用の広モード吐水孔群２２と、を有し、広モード吐水孔群２２の周囲を囲む広モード吐水孔群配置領域Ｐが形成され、ヘッド部１１における広モード吐水孔群配置領域Ｐの前端の吐水孔２０ｂから幅方向に延出する第１仮想線Ｌ１と、広モード吐水孔群配置領域Ｐの後端の吐水孔２０ｂから幅方向に延出する第２仮想線Ｌ２と、の間の前後方向に連続する範囲内に、狭モード吐水孔群２１が配置される、ビデ洗浄装置１である。【選択図】図４
2020056160.tif 000002
【特許請求の範囲】
【請求項１】
便器後部に対して前後方向に進退可能に設けられ、前記前後方向を長手方向とする長尺のノズル部と、
前記ノズル部の先端側に配置され、使用者の身体局部に対して洗浄水を吐水する複数の吐水孔群が設けられるヘッド部と、を有するビデ洗浄装置であって、
前記複数の吐水孔群は、
前記身体局部近傍の所定の範囲に対して吐水する狭モード吐水用の狭モード吐水孔群と、
前記所定の範囲よりも広い範囲に吐水する広モード吐水用の広モード吐水孔群と、を有し、
前記広モード吐水孔群の周囲を囲む広モード吐水孔群配置領域が形成され、
前記ヘッド部における前記広モード吐水孔群配置領域の前端の吐水孔から幅方向に延出する第１仮想線と、前記広モード吐水孔群配置領域の後端の吐水孔から幅方向に延出する第２仮想線と、の間の前後方向に連続する範囲内に、前記狭モード吐水孔群が配置される、ビデ洗浄装置。
【請求項２】
前記狭モード吐水孔群の中心位置は、前記広モード吐水孔群配置領域の中心位置よりも前方側に配置されている、請求項１に記載のビデ洗浄装置。
【請求項３】
前記狭モード吐水孔群は、前記広モード吐水孔群配置領域の前方側に配置された前記広モード吐水孔群と、前記広モード吐水孔群配置領域の後方側に配置された前記広モード吐水孔群と、の間に挟まれるように配置されている、請求項１に記載のビデ洗浄装置。
【発明の詳細な説明】
【技術分野】
【０００１】
本発明は、ビデ洗浄装置に関する。
【背景技術】
【０００２】
従来、便器装置に取り付けられ、操作により作動時に伸長して女性身体の局部を洗浄するビデ洗浄装置が知られている。ビデ洗浄装置は、身体を洗浄するための洗浄水を吐水する吐水孔が先端側のヘッド部に設けられており、ノズル内部を流通した洗浄水が局部に向けて吐水される。局部の周囲も洗浄することができるように、局部に向けて吐水する狭モード吐水を行う狭モード吐水孔と、狭モード吐水よりも広い範囲に吐水する広モード吐水を行う広モード吐水孔を有するビデ洗浄装置が提案されている（例えば、特許文献１参照）。この技術では、狭モード吐水孔と広モード吐水孔とが前後に隣接して配置されている。
【先行技術文献】
【特許文献】
【０００３】
【特許文献１】特許第６０６４２９４号公報
【発明の概要】
【発明が解決しようとする課題】
【０００４】
図９は、従来技術を説明する図である。図９に示すように、ヘッド部１１０に広モード吐水孔８２と狭モード吐水孔８１を前後に並べた場合、後方に位置すると狭モード吐水孔８１から吐水される洗浄水が前方側に傾くように角度をつけて吐水口を配置しなければ、洗浄水が使用者の適切な位置に当たりにくい。しかし、洗浄水を傾けて吐水すると、使用者が着座位置を調整するために座り直したりする際に、洗浄水が便器外へ飛び出す確率が高まってしまうという問題があった。このため、便器外へ洗浄水が飛び出しにくいビデ洗浄装置が望まれていた。
【課題を解決するための手段】
【０００５】
本発明は、便器（例えば、後述の便器７１）後部に対して前後方向に進退可能に設けられ、前記前後方向を長手方向とする長尺のノズル部（例えば、後述のノズル部１２）と、前記ノズル部の先端側に配置され、使用者の身体局部に対して洗浄水を吐水する複数の吐水孔群（例えば、後述の複数の吐水孔群２）が設けられるヘッド部（例えば、後述のヘッド部１１）と、を有するビデ洗浄装置（例えば、後述のビデ洗浄装置１）であって、前記複数の吐水孔群は、前記身体局部近傍の所定の範囲に対して吐水する狭モード吐水用の狭モード吐水孔群（例えば、後述の狭モード吐水孔群２１）と、前記所定の範囲よりも広い範囲に吐水する広モード吐水用の広モード吐水孔群（例えば、後述の広モード吐水孔群２２）と、を有し、前記広モード吐水孔群の周囲を囲む広モード吐水孔群配置領域（例えば、後述の広モード吐水孔群配置領域Ｐ）が形成され、前記ヘッド部における前記広モード吐水孔群配置領域の前端の吐水孔から幅方向に延出する第１仮想線（例えば、後述の第１仮想線Ｌ１）と、前記広モード吐水孔群配置領域の後端の吐水孔から幅方向に延出する第２仮想線（例えば、後述の第２仮想線Ｌ２）と、の間の前後方向に連続する範囲内に、前記狭モード吐水孔群が配置される、ビデ洗浄装置に関する。
【０００６】
前記狭モード吐水孔群の中心位置（例えば、後述の中心位置Ｃ１）は、前記広モード吐水孔群配置領域の中心位置（例えば、後述の中心位置Ｃ２）よりも前方側に配置されていることが好ましい。
【０００７】
前記狭モード吐水孔群は、前記広モード吐水孔群配置領域の前方側に配置された前記広モード吐水孔群と、前記広モード吐水孔群配置領域の後方側に配置された前記広モード吐水孔群と、の間に挟まれるように配置されていることが好ましい。
【発明の効果】
【０００８】
本発明によれば、便器外へ洗浄水が飛び出しにくいビデ洗浄装置を提供することができる。
【図面の簡単な説明】
【０００９】
【図１】本実施形態の便器装置の斜視図である。
【図２】本実施形態のビデ洗浄装置の斜視図であり、（ａ）図は、狭モード吐水を行っている状態を示し、（ｂ）図は、広モード吐水を行っている状態を示す。
【図３】本実施形態のヘッド部の上面を示し、（ａ）図は、狭モード吐水孔群を示し、（ｂ）図は広モード吐水孔群を示す。
【図４】第１実施形態のヘッド部の側面図である。
【図５】第１実施形態のビデ洗浄装置の横断面図であり、（ａ）図は、狭モード吐水孔群の流路を示し、（ｂ）図は広モード吐水孔群の流路を示す。
【図６】第２実施形態のヘッド部の側面図である。
【図７】第３実施形態のヘッド部の上面図である。
【図８】第４実施形態のヘッド部の上面図である。
【図９】従来技術を説明する図である。
【発明を実施するための形態】
【００１０】
以下、本発明の実施形態について、図面を参照しながら詳細に説明する。図１に示すように、本実施形態のビデ洗浄装置１は、便器装置７に取り付けられている。
便器装置７は、便器７１と、便座７２と、便蓋７３と、機能部７４と、操作パネル７５と、を有する。
便器７１は上部が開口した凹部を有する洋式便器である。便座７２は、便器７１の開口部の周囲に取り付けられる略環状の座面である。便蓋７３は、便座７２の開口を覆うように開閉可能な蓋である。機能部７４は、便器７１の上部後方に配置され、便器装置７の各種機能を実行する制御部が設けられた部分である。機能部７４には、便座７２及び便蓋７３が取り付けられるとともに、内部にビデ洗浄装置１が配置される。
操作パネル７５は、機能部７４から延出して便座７２の機能部７４側の側部に配置される。操作パネル７５には、機能部７４と接続されている複数の操作部が設けられ、ビデ洗浄を行うように操作したり、ビデ洗浄の各種操作モードを選択したりすることができるように構成されている。
【００１１】
ビデ洗浄装置１は、便座７２の開口部における後方側で、機能部７４の前端部側に配置される。ビデ洗浄装置１は、図示しない駆動機構により駆動されて、使用時には前方の斜め下方へ伸長する。ビデ洗浄装置１は、おしりを洗浄する他のノズルと隣接して取り付けられ、特に女性器を洗浄するために用いられるノズルである。
なお、本明細書において、前方とは、便器装置７に対して使用者が位置する側を言い、後方とは使用者が位置する側に対向する側を言う。
【００１２】
図２（ａ）図は、ビデ洗浄装置１が狭モード吐水を行っている状態の斜視図であり、図２（ｂ）は、広モード吐水を行っている状態の斜視図である。説明のため、ビデ洗浄装置１を吐水された洗浄水とともに示している。ビデ洗浄装置１は、使用者が操作パネル７５を操作することによって、狭モード吐水及び広モード吐水のいずれかを選択的に行うことが可能である。
狭モード吐水とは、主に使用者の局部に向けて狭い範囲に吐水することである。
広モード吐水とは、狭モード吐水よりも広い範囲で局部の周囲及び前後を含む範囲に吐水することである。図２に示すように、ビデ洗浄装置１は、広モード吐水の着水範囲が長方形になるように構成されている。
なお、局部とは、女性身体の膣口近傍を意味する。
着水範囲とは、ビデ洗浄装置１から吐水された洗浄水が、使用者の身体に着水する範囲を意味する。また、洗浄水とは、温度に関わらず吐水される水を意味し、水及び湯のいずれをも含む。
【００１３】
ビデ洗浄装置１は、ノズル部１２と、ヘッド部１１とを有する。
ノズル部１２は、機能部７４に収容されて、便器７１後部に対して前後方向に進退可能に設けられている。ノズル部１２は、前後方向を長手方向とする長尺に形成され、内部に洗浄水が流通可能な中空部を有する。ノズル部１２の基端側は、ビデ洗浄装置１を駆動するモータや、給水源、給水源からビデ洗浄装置１への給水を制御する給水弁、給水ポンプ及び流路を切り替える流路切り替え弁等（図示省略）に接続されている。
【００１４】
図３は、ヘッド部１１の上面を示し、図３（ａ）は、狭モード吐水孔群２１を示し、図３（ｂ）は広モード吐水孔群２２を示す。図３（ａ）及び図３（ｂ）に示すように、ヘッド部１１は、略直方体に形成され、ノズル部１２の先端に配置されている。ヘッド部１１は、その上面に、内部から貫通する複数の吐水孔群２が形成されている。複数の吐水孔群２は、使用者の局部及びその周辺に対して洗浄水を吐水するための孔である。複数の吐水孔群２は、ヘッド部１１の前後方向に沿って間を空けて２列と、前後方向の中央部で幅方向の両外側に２つの吐水孔２０を有する。複数の吐水孔群２は、狭モード吐水孔群２１と、広モード吐水孔群２２と、を有する。
【００１５】
狭モード吐水孔群２１は、狭モード吐水の際に使用される。図３（ａ）に示すように、狭モード吐水孔群２１は、複数の吐水孔群２のうち、前後方向の略中央部における幅方向の内側に配置される４つの吐水孔２０ａにより構成される。
【００１６】
広モード吐水孔群２２は、広モード吐水の際に使用される。図３（ｂ）に示すように、広モード吐水孔群２２は、複数の吐水孔群２のうち、狭モード吐水孔群２１の周囲に配置され、狭モード吐水孔群２１の前方の４つと、後方の６つと、狭モード吐水孔群２１の幅方向の一方及び他方側に配置される２つずつの吐水孔２０ｂにより構成される。図３に示すように、広モード吐水孔群２２を構成する吐水孔２０ｂの外径は、狭モード吐水孔群２１を構成する吐水孔２０ａの外径よりも小さい。
【００１７】
広モード吐水孔群２２は、ヘッド部１１の前後方向に沿う縦長の領域内に、長手方向が前後方向に沿うように配置されている。図３（ｂ）に示すように、複数の広モード吐水孔群２２を構成する吐水孔２０ｂの最前端に位置する吐水孔２０ｂと、最後端に位置する吐水孔２０ｂと、前後方向に直交する幅方向の最外側に位置する吐水孔２０ｂのそれぞれの外側に接する接線で囲んだ連続した領域を、広モード吐水孔群配置領域Ｐとする。広モード吐水孔群２２は、広モード吐水孔群配置領域Ｐにおいて必ずしも全体に配置されておらず、広モード吐水孔群２２が配置されていない箇所があってもよいが、吐水孔２０ｂを傾ける等することで、前後範囲が一定した所定の範囲に洗浄水を吐水可能に構成されている。
【００１８】
図３（ｂ）に示すように、広モード吐水孔群配置領域Ｐの前後方向における一方の端部と他方の端部との間の範囲内に、狭モード吐水孔群２１が配置されている。すなわち、広モード吐水孔群配置領域Ｐの前端の吐水孔２０ｂから幅方向に延出する第１仮想線Ｌ１と、前記広モード吐水孔群配置領域Ｐの後端の吐水孔２０ｂから幅方向に延出する第２仮想線Ｌ２と、の間の前後方向に連続する範囲内に、狭モード吐水孔群２１が配置されている。
【００１９】
図４は、狭モード吐水孔群２１から吐水される洗浄水と、広モード吐水孔群２２から吐水される洗浄水のそれぞれの吐水範囲を、ヘッド部１１の側面から見た模式図である。図３（ａ）〜図４に示すように、狭モード吐水孔群２１は、ヘッド部１１の側面視において、広モード吐水孔群２２に重なるように配置されている。この配置により、狭モード吐水孔群２１と広モード吐水孔群２２とをヘッド部１１の前後方向に配置した場合と比べて、広モード吐水孔群２２から吐水する洗浄水の角度θ２及び狭モード吐水孔群２１から吐水する洗浄水の角度θ１を大きくすることができる。
【００２０】
吐水角度とは、便器装置７の設置面と平行な仮想水平線Ｈをヘッド部１１の前端部の中心Ｃを通って延出させ、この仮想水平線Ｈと、狭モード吐水孔群２１の前側から吐水される洗浄水の吐水方向又は広モード吐水孔群２２の前側から吐水される洗浄水の吐水方向との間に形成される角度である。吐水角度が小さいと、便器外へ洗浄水が飛び出す確率が大きくなるが、吐水角度が大きいと、洗浄水は上方へ向かい、使用者に当たって便器外へ飛び出す確率は小さくなる。
【００２１】
図３（ａ）及び図４に示すように、狭モード吐水孔群２１が４つの吐水孔２０ａで構成され、広モード吐水孔群配置領域Ｐ内で所定の広がりをもって配置されることによっても、吐水角度は大きくなる。
【００２２】
図５（ａ）は、狭モード吐水孔群の流路を示し、図５（ｂ）は広モード吐水孔群の流路を示す。
ノズル部１２及びヘッド部１１の内部には、給水源と連絡する洗浄水の流路が形成されている。ノズル部１２及びヘッド部１１は、狭モード吐水孔群２１に連通する狭モード流路１３と、広モード吐水孔群２２に連通する広モード流路１４とを有する。
【００２３】
狭モード流路１３及び広モード流路１４は、具体的には同軸で二重の給水管により形成されており、中心側が狭モード流路１３となり、狭モード流路１３から隔壁を隔てた外側が広モード流路１４となっている。ノズル部１２の基端には、狭モード流路１３及び広モード流路１４それぞれに給水する２本の給水管が接続されている。
【００２４】
以上のビデ洗浄装置１は、便器装置７の操作パネル７５等を操作することで、狭モード吐水を行うか、広モード吐水を行うかいずれかが選択され、作動する。
狭モード吐水を行うように操作された場合は、機能部７４内の制御部により流路切り替え弁が操作され、狭モード流路１３に給水される。狭モード流路１３を流通する洗浄水は、狭モード吐水孔群２１の吐水孔２０ａから使用者の局部に向けて吐水される。
広モード吐水を行うように操作された場合は、機能部７４内の制御部により流路切り替え弁が操作され、広モード流路１４に給水される。広モード流路１４を流通する洗浄水は、広モード吐水孔群２２の吐水孔２０ｂから使用者の局部の周囲及び局部の前方側及び後方側に向けて吐水される。
【００２５】
本実施形態によれば、以下の効果を奏する。
本実施形態では、ビデ洗浄装置１を、便器７１後部に対して前後方向に進退可能に設けられ、前後方向を長手方向とする長尺のノズル部１２と、ノズル部１２の先端側に配置され、使用者の身体局部に対して洗浄水を吐水する複数の吐水孔群２が設けられるヘッド部１１と、を含んで構成した。また、複数の吐水孔群２を、身体局部近傍の所定の範囲に対して吐水する狭モード吐水用の狭モード吐水孔群２１と、所定の範囲よりも広い範囲に吐水する広モード吐水用の広モード吐水孔群２２と、を含んで構成し、広モード吐水孔群２２の周囲を囲む広モード吐水孔群配置領域Ｐを形成した。また、ヘッド部１１における広モード吐水孔群配置領域Ｐの前端の吐水孔２０ｂから幅方向に延出する第１仮想線Ｌ１と、広モード吐水孔群配置領域Ｐの後端の吐水孔２０ｂから幅方向に延出する第２仮想線Ｌ２と、の間の前後方向に連続する範囲内に、狭モード吐水孔群２１を配置した。
狭モード吐水孔群２１を、広モード吐水孔群配置領域Ｐの前端から幅方向に延出する第１仮想線Ｌ１と、後端から幅方向に延出する第２仮想線Ｌ２と、の間の前後方向に連続する範囲内に配置することにより、狭モード吐水孔群２１を広モード吐水孔群配置領域Ｐの後方から前方に向けて吐水する場合と比べて、吐水角度が大きくなり、使用者に向けて上方に吐水することが可能になる。よって、狭モード吐水孔群２１から吐水する場合に、洗浄水が便器７１の外へ飛び散ることを防止することができる。
【００２６】
以上、本発明の好ましい実施形態について説明したが、本発明は、上述の実施形態に制限されるものではなく、適宜変更が可能である。
【００２７】
図６は、第２実施形態のヘッド部１１Ａの側面図である。図６に示すように、第２実施形態では、狭モード吐水孔群２１の中心位置Ｃ１が、広モード吐水孔群配置領域Ｐの中心位置Ｃ２よりも前方側に配置されている。狭モード吐水孔群２１がヘッド部１１の前方側に寄ることで、吐水方向を前方へ傾けなくて済むので、狭モード吐水孔群２１から吐水する洗浄水の角度θ１を大きくしやすくなる。
【００２８】
図７は、第３実施形態のヘッド部１１Ｂの上面図である。Ｆは前方、Ｒは後方を示す。
図７に示すように、狭モード吐水孔群２１Ｂと、広モード吐水孔群２２Ｂとは、ヘッド部１１の幅方向に並んで配置されていてもよい。図７に示すように、狭モード吐水孔群２１Ｂは、ヘッド部１１において広モード吐水孔群配置領域Ｐの前端の吐水孔２０ｂ及び後端の吐水孔２０ｂから幅方向に延長した第１仮想線Ｌ１及び第２仮想線の前後方向に連続する範囲内に配置されている。狭モード吐水孔群２１Ｂ及び広モード吐水孔群２２は、ヘッド部１１の側面視で重なるように配置されている。第３実施形態の配置によっても、狭モード吐水孔群２１を広モード吐水孔群配置領域Ｐの後方から前方に向けて吐水する場合と比べて、吐水角度が大きくなり、使用者に向けて上方に吐水することが可能になるため、第１実施形態と同様の効果を奏する。
【００２９】
図８は、第４実施形態のヘッド部１１Ｃの上面図である。Ｆは前方、Ｒは後方を示す。
図８に示すように、狭モード吐水孔群２１Ｃは、広モード吐水孔群配置領域Ｐにおける前方側に配置された広モード吐水孔群２２Ｃと、後方側に配置された広モード吐水孔群２２Ｃとの間に挟まれており、狭モード吐水孔群２１Ｃは、ヘッド部１１において広モード吐水孔群配置領域Ｐの前端の吐水孔２０ｂ及び後端の吐水孔２０ｂから幅方向に延長した第１仮想線Ｌ１及び第２仮想線の前後方向に連続する範囲内に配置されている。第４実施形態によっても、狭モード吐水孔群２１を広モード吐水孔群配置領域Ｐの後方から前方に向けて吐水する場合と比べて、吐水角度が大きくなり、使用者に向けて上方に吐水することが可能になるため、第１実施形態と同様の効果を奏する。
【００３０】
狭モード吐水孔群及び広モード吐水孔群の配置は、狭モード吐水孔群が、広モード吐水孔群配置領域Ｐの前端の吐水孔２０ｂ及び後端の吐水孔２０ｂから幅方向に延長した第１仮想線Ｌ１及び第２仮想線の前後方向に連続する範囲内に配置されていれば、具体的な配置は限定されない。また、各吐水孔２０から吐水される洗浄水は、ヘッド部１１の中心軸に対して直交する方向に吐水されていてもよい。広モード吐水孔群配置領域Ｐがヘッド部１１の前後方向に沿って広範囲に設けられているとき、洗浄水がヘッド部１１の中心軸に対して直交する方向に吐水されても、吐水範囲は広くなり、かつ便器７１からの飛び出しも抑制される。
【００３１】
なお、上記実施形態では、ヘッド部１１の形状は直方体であるが、これに限定されない。ノズル部１２の先端に複数の吐水孔群２が設けられていれば、円筒形や、ヘラ型等、任意の形状であってよい。
【符号の説明】
【００３２】
１      ビデ洗浄装置
２      複数の吐水孔群
１１    ヘッド部
１２    ノズル部
２０、２０ａ、２０ｂ    吐水孔
２１    狭モード吐水孔群
２２    広モード吐水孔群
７１    便器
Ｐ      広モード吐水孔群配置領域
Ｌ１    第１仮想線
Ｌ２    第２仮想線
Ｃ１    狭モード吐水孔群の中心位置
Ｃ２    広モード吐水孔群配置領域の中心位置
【図１】
2020056160.tif 000003
【図２】
2020056160.tif 000004
【図３】
2020056160.tif 000005
【図４】
2020056160.tif 000006
【図５】
2020056160.tif 000007
【図６】
2020056160.tif 000008
【図７】
2020056160.tif 000009
【図８】
2020056160.tif 000010
【図９】
2020056160.tif 000011